(57)【要約】【課題】ファクシミリ装置の設置に必要な面積を少なくし、且つ取り扱い容易にする。【解決手段】装置本体２の下部に、その前方に引出し可能な給紙カセット３を備え、且つ該給紙カセットから給送された用紙がＵターン状の用紙給送路体９を介して記録部７を通過して装置本体の前面に排出する。記録部７より上方に、原稿画像読取装置２２を備える。装置本体２の上面に操作パネル部２０が配置され、原稿供給トレイ３３が操作パネル部２０の上面と、その後部の原稿導入口２９とを覆う倒伏姿勢となるように回動可能に連結されている。装置本体２の上面一側部位には、ハンドセット３６を起立状態で収納可能なハンドセット置き台３７が設けられ、装置本体２の側面視において、起立状態のハンドセット３６が起立姿勢の原稿供給トレイ３３よりも前側に位置させ、且つ起立姿勢の原稿供給トレイ３３の後端が装置本体２の後端より突出しないように形成されている。【選択図】図３
2008011466.tif 000002
【特許請求の範囲】
【請求項１】
装置本体の表面に設けられた操作パネル部と、原稿を所定の搬送方向に案内する原稿搬送板と、この原稿搬送板によって案内された原稿を搬送しつつ原稿の画像を読み取る読取部と、この読取部により画像が読み取られる原稿が載置される原稿供給トレイと、を備えた画像読取装置であって、
前記原稿供給トレイは前記装置本体の表面に倒伏する倒伏姿勢と、原稿を載置可能に起立する起立姿勢と、の間で回動可能に設けられ、前記原稿供給トレイの載置面は、前記所定の搬送方向上流側に設けられた第１の載置面と、前記所定の搬送方向下流側に設けられた第２の載置面とからなり、
前記原稿供給トレイが前記倒伏姿勢であるとき、前記第１の載置面によって前記操作パネル部の少なくとも一部が覆われ、前記第２の載置面によって前記原稿搬送板の少なくとも一部が覆われ、
前記原稿供給トレイが前記起立姿勢であるとき、前記第１の載置面と前記第２の載置面との境界部を通り前記装置本体が設置される設置面に対する鉛直線として設定される仮想直線と第１の載置面とがなす第１の角は、前記仮想直線と第２の載置面とがなす第２の角よりも小さく、前記第２の載置面は前記原稿搬送板の表面とほぼ同一平面上に配置されることを特徴とする画像読取装置。
【請求項２】
装置本体の下部に設けられ積層収納された複数の記録媒体を一枚ずつ分離してＵターン経路に向けて搬送する給紙部と、このＵターン経路を経て搬送された被記録媒体に画像を記録する記録部と、この記録部を経て搬送された被記録媒体を前記装置本体外に向けて排出する排出部と、を備えた画像形成装置であって、前記記録部の上方に請求項１に記載の画像読取装置が備えられたことを特徴とする画像形成装置。
【請求項３】
装置本体の下部に設けられ積層収納された複数の被記録媒体を一枚ずつ分離してＵターン経路に向けて搬送する給紙部と、このＵターン経路を経て搬送された被記録媒体に画像を記録する記録部と、この記録部を経て搬送された被記録媒体を第１の搬送方向に排出する排出部と、前記記録部の上方に配置され原稿を第２の搬送方向に案内する原稿搬送板と、この原稿搬送板によって案内された原稿を搬送しつつ原稿の画像を読み取る読取部と、この読取部の上面に配置された操作パネル部と、前記装置本体の上面に配置され前記原稿搬送板と前記操作パネル部との間に設けられている原稿導入口に原稿を供給する原稿供給トレイと、を備えた画像形成装置であって、
前記原稿供給トレイは、前記装置本体の上面に倒伏する倒伏姿勢と、原稿を載置可能に起立する起立姿勢と、の間で回動可能に設けられ、前記原稿供給トレイが前記倒伏姿勢であるとき、前記原稿供給トレイは前記操作パネル部の上面のうち少なくとも一部と、前記原稿搬送板と、前記原稿導入口と、を覆い、前記原稿供給トレイが前記起立姿勢であるとき、前記装置本体の平面視において、前記原稿供給トレイは前記装置本体の投影面積内に配置されることを特徴とする画像形成装置。
【請求項４】
前記原稿供給トレイの載置面は、前記第２の搬送方向上流側に設けられた第１の載置面と、前記第２の搬送方向下流側に設けられた第２の載置面と、からなり、前記原稿供給トレイの側断面形状は、前記第１の載置面と前記第２の載置面との境界部で、前記第１の載置面と第２の載置面との間の角度が鈍角をなすように屈曲形成されていることを特徴とする請求項３に記載の画像形成装置。
【請求項５】
前記装置本体において、前記所定の搬送方向上流側又は前記第２の搬送方向上流側を後側とする画像形成装置であって、前記装置本体の上面一側部位には、送受話器を起立状態で載置可能な送受話器置き台が設けられ、前記装置本体の側面視において、前記送受話器置き台に前記起立状態で載置されている送受話器は、前記起立姿勢の前記原稿供給トレイよりも装置本体の前側に位置することを特徴とする請求項２〜請求項４のいずれかに記載の画像形成装置。
【請求項６】
前記装置本体の上面であって、前記起立姿勢における前記原稿供給トレイの下方には、前記記録部の少なくとも一部を露出可能な開口部と、前記原稿供給トレイが前記倒伏姿勢であるときに、前記開口部を閉塞する閉塞姿勢と、前記開口部を開放する開放姿勢と、の間で回動可能な開閉扉と、が設けられていることを特徴とする請求項２〜請求項５のいずれかに記載の画像形成装置。
【発明の詳細な説明】
【技術分野】
【０００１】
本発明は、スキャナ装置等の画像読取装置および、スキャナ装置、ファクシミリ装置、コピー装置、等の画像形成装置に係り、より詳しくはコンパクトで取り扱いの容易な画像読取装置および画像形成装置の構成に関するものである。
【背景技術】
【０００２】
ファクシミリ装置である、特許文献１及び２の装置では、本体ケースの上面のうち前寄り部位には、表面に操作パネル部が形成された操作部カバー体を備えており、この操作部カバー体の下面側の本体ケース内には画像読取部とその下方にインクジェット式等の画像記録部（プリンタ部）とが配置されている。画像読取部よりも後部側の本体ケースには、原稿を載置して画像読取部に給送するための原稿トレイと、受信した画像などのデータを印刷して記録するための記録紙（用紙）を複数枚載置するための給紙トレイとが、互いに略平行であって前下りの傾斜状（後方に行くに従って高くなる後傾状）に立設している。
【０００３】
上記の構成では、読み取られた原稿及び印刷済みの記録紙は本体ケースの前面に上下２段にて設けられた、原稿排出トレイ及び記録紙排出トレイに向かって排出される構成であった。
【０００４】
また、これらのファクシミリ装置では相手側のファクシミリもしくは電話との通信（通話）の必要から、電話のテンキー付き送受話器（ハンドセット）を備えているが、本体ケース（ハウジング）の一側に、ハンドセットをその長手方向が本体ケースの前後方向と略平行となるようにして寝かせて載置するための載置台が設けられている。
【０００５】
他方、特許文献３のファクシミリ装置のように、装置本体の下部には、その前方向から挿入可能な給紙カセットが配置されており、図示しない記録部で印刷された用紙を装置本体の後部に後向きに突出させた記録紙排出スタッカ部に排出する構成のものがある。なお、特許文献３の構成では、録紙排出スタッカ部の上側に原稿トレイが配置されており、読取部を通過して読み取られた原稿は本体装置の前方に排出される。
【特許文献１】特開２００３−９２６５１号公報（図１及び図２参照）
【特許文献２】特開２００２−３２００５８号公報（図１参照）
【特許文献３】特開２００３−１５８５９２号公報（図１参照）
【発明の開示】
【発明が解決しようとする課題】
【０００６】
しかしながら、上記特許文献１及び２の画像記録装置（ファクシミリ装置）のように、原稿トレイ及び給紙トレイが後傾状に起立されていると、特に後側のトレイの上端部は本体ケースの後端面よりも後側に位置することになるので、上記後側のトレイの機能を発揮させる正しい後傾姿勢で当該トレイを配置させるには、本体ケースの後端面と室内の壁面との間に大きい隙間（デッドスペース）ができてしまう。換言すると、本体ケースをコンパクトに形成したとしても、画像記録装置（ファクシミリ装置）の使用中では、大きい空間が必要となるという問題があった。
【０００７】
特許文献３では、記録済みの用紙を本体装置の後方に排出するので、この場合も本体ケースの後端面と室内の壁面との間に大きい空間を必要とする。
【０００８】
また、特許文献１〜３のよう従来のファクシミリ装置では、原稿トレイ及び給紙トレイは一般に側面視で直線状に形成されているので、上記の後傾姿勢を採用すると、当該トレイの上端部が側面視にて本体ケースの後端面から離間する距離が益々大きくなるのであった。
【０００９】
他方、上述のハンドセットを寝かせた状態で本体ケースの一側部もしくは一側部からはみ出させた載置台に載置することも、ファクシミリ装置（画像記録装置）の設置に必要な面積が大きくなるという問題があった。
【００１０】
さらに、画像記録装置（ファクシミリ装置）の不使用時に、上記原稿トレイ及び給紙トレイを立てたままに放置しておくと、各トレイの表面（上面）や操作パネル部の表面、さらには原稿読取部や給紙部への用紙の入り口に埃が積もり、再度の使用に際してその埃を除去する清掃の手間が掛かるという問題もあった。
【００１１】
本願発明は、上記の従来の技術的課題を解決することを目的になされたものであって、その一つは原稿トレイの断面形状及び配置を工夫したものであり、他の一つはハンドセットの載置姿勢及びハンドセットの配置位置を工夫したものである。
【課題を解決するための手段】
【００１２】
前記課題を解決するための請求項１に記載の発明の画像読取装置は、装置本体の表面に設けられた操作パネル部と、原稿を所定の搬送方向に案内する原稿搬送板と、この原稿搬送板によって案内された原稿を搬送しつつ原稿の画像を読み取る読取部と、この読取部により画像が読み取られる原稿が載置される原稿供給トレイと、を備えた画像読取装置であって、前記原稿供給トレイは前記装置本体の表面に倒伏する倒伏姿勢と、原稿を載置可能に起立する起立姿勢と、の間で回動可能に設けられ、前記原稿供給トレイの載置面は、前記所定の搬送方向上流側に設けられた第１の載置面と、前記所定の搬送方向下流側に設けられた第２の載置面とからなり、前記原稿供給トレイが前記倒伏姿勢であるとき、前記第１の載置面によって前記操作パネル部の少なくとも一部が覆われ、前記第２の載置面によって前記原稿搬送板の少なくとも一部が覆われ、前記原稿供給トレイが前記起立姿勢であるとき、前記第１の載置面と前記第２の載置面との境界部を通り前記装置本体が設置される設置面に対する鉛直線として設定される仮想直線と第１の載置面とがなす第１の角は、前記仮想直線と第２の載置面とがなす第２の角よりも小さく、前記第２の載置面は前記原稿搬送板の表面とほぼ同一平面上に配置されるものである。
【００１３】
請求項２に記載の発明の画像形成装置は、装置本体の下部に設けられ積層収納された複数の記録媒体を一枚ずつ分離してＵターン経路に向けて搬送する給紙部と、このＵターン経路を経て搬送された被記録媒体に画像を記録する記録部と、この記録部を経て搬送された被記録媒体を前記装置本体外に向けて排出する排出部と、を備えた画像形成装置であって、前記記録部の上方に請求項１に記載の画像読取装置が備えられたものである。
【００１４】
請求項３に記載の発明の画像形成装置は、装置本体の下部に設けられ積層収納された複数の被記録媒体を一枚ずつ分離してＵターン経路に向けて搬送する給紙部と、このＵターン経路を経て搬送された被記録媒体に画像を記録する記録部と、この記録部を経て搬送された被記録媒体を第１の搬送方向に排出する排出部と、前記記録部の上方に配置され原稿を第２の搬送方向に案内する原稿搬送板と、この原稿搬送板によって案内された原稿を搬送しつつ原稿の画像を読み取る読取部と、この読取部の上面に配置された操作パネル部と、前記装置本体の上面に配置され前記原稿搬送板と前記操作パネル部との間に設けられている原稿導入口に原稿を供給する原稿供給トレイと、を備えた画像形成装置であって、前記原稿供給トレイは、前記装置本体の上面に倒伏する倒伏姿勢と、原稿を載置可能に起立する起立姿勢と、の間で回動可能に設けられ、前記原稿供給トレイが前記倒伏姿勢であるとき、前記原稿供給トレイは前記操作パネル部の上面のうち少なくとも一部と、前記原稿搬送板と、前記原稿導入口と、を覆い、前記原稿供給トレイが前記起立姿勢であるとき、前記装置本体の平面視において、前記原稿供給トレイは前記装置本体の投影面積内に配置されるものである。
【００１５】
請求項４に記載の発明は、請求項３に記載の画像形成装置において、前記原稿供給トレイの載置面は、前記第２の搬送方向上流側に設けられた第１の載置面と、前記第２の搬送方向下流側に設けられた第２の載置面と、からなり、前記原稿供給トレイの側断面形状は、前記第１の載置面と前記第２の載置面との境界部で、前記第１の載置面と第２の載置面との間の角度が鈍角をなすように屈曲形成されているものである。
【００１６】
請求項５に記載の発明は、請求項２〜請求項４のいずれかに記載の画像形成装置において、前記装置本体において、前記所定の搬送方向上流側又は前記第２の搬送方向上流側を後側とする画像形成装置であって、前記装置本体の上面一側部位には、送受話器を起立状態で載置可能な送受話器置き台が設けられ、前記装置本体の側面視において、前記送受話器置き台に前記起立状態で載置されている送受話器は、前記起立姿勢の前記原稿供給トレイよりも装置本体の前側に位置するものである。
【００１７】
請求項６に記載の発明は、請求項２〜請求項５のいずれかに記載の画像形成装置において、前記装置本体の上面であって、前記起立姿勢における前記原稿供給トレイの下方には、前記記録部の少なくとも一部を露出可能な開口部と、前記原稿供給トレイが前記倒伏姿勢であるときに、前記開口部を閉塞する閉塞姿勢と、前記開口部を開放する開放姿勢と、の間で回動可能な開閉扉と、が設けられているものである。
【発明の効果】
【００１８】
請求項１に記載の発明によれば、原稿供給トレイは前記装置本体の表面に倒伏する倒伏姿勢と、原稿を載置可能に起立する起立姿勢と、の間で回動可能に設けられているので、原稿供給トレイは、使用時の原稿載置の機能と、不使用時のカバーとしての機能を兼用できるという効果を奏する。
【００１９】
そして、原稿供給トレイの載置面は、前記所定の搬送方向上流側に設けられた第１の載置面と、前記所定の搬送方向下流側に設けられた第２の載置面とからなり、前記原稿供給トレイが前記倒伏姿勢であるとき、前記第１の載置面によって前記操作パネル部の少なくとも一部が覆われ、前記第２の載置面によって前記原稿搬送板の少なくとも一部が覆われ、前記原稿供給トレイが前記起立姿勢であるとき、前記第１の載置面と前記第２の載置面との境界部を通り前記装置本体が設置される設置面に対する鉛直線として設定される仮想直線と第１の載置面とがなす第１の角は、前記仮想直線と第２の載置面とがなす第２の角よりも小さく、前記第２の載置面は前記原稿搬送板の表面とほぼ同一平面上に配置されるものであるから、第１の載置面によって原稿を読取部に搬送する力が与えられる。搬送性能が優れているので、安定した読み取りを行うことができるという効果を奏する。
【００２０】
また、第２の載置面は、原稿搬送板とほぼ同一平面上に配置されているので、原稿は第２の載置面から原稿搬送板へとスムーズに導入されるという効果を奏する。
【００２１】
請求項２に記載の発明の画像形成装置は、装置本体の下部に設けられ積層収納された複数の記録媒体を一枚ずつ分離してＵターン経路に向けて搬送する給紙部と、このＵターン経路を経て搬送された被記録媒体に画像を記録する記録部と、この記録部を経て搬送された被記録媒体を前記装置本体外に向けて排出する排出部と、を備えた画像形成装置であって、前記記録部の上方に請求項１に記載の画像読取装置が備えられたものである。
【００２２】
請求項３に記載の発明の画像形成装置によれば、装置本体の下部に設けられ積層収納された複数の被記録媒体を一枚ずつ分離してＵターン経路に向けて搬送する給紙部と、このＵターン経路を経て搬送された被記録媒体に画像を記録する記録部と、この記録部を経て搬送された被記録媒体を第１の搬送方向に排出する排出部と、前記記録部の上方に配置され原稿を第２の搬送方向に案内する原稿搬送板と、この原稿搬送板によって案内された原稿を搬送しつつ原稿の画像を読み取る読取部と、この読取部の上面に配置された操作パネル部と、前記装置本体の上面に配置され前記原稿搬送板と前記操作パネル部との間に設けられている原稿導入口に原稿を供給する原稿供給トレイと、を備えた画像形成装置であって、前記原稿供給トレイは、前記装置本体の上面に倒伏する倒伏姿勢と、原稿を載置可能に起立する起立姿勢との間で回動可能に設けられ、前記原稿供給トレイが前記倒伏姿勢であるとき、前記原稿供給トレイは前記操作パネル部の上面のうち少なくとも一部と、前記原稿搬送板と、前記原稿導入口と、を覆い、前記原稿供給トレイが前記起立姿勢であるとき、前記装置本体の平面視において、前記原稿供給トレイは前記装置本体の投影面積内に配置されるものである。
【００２３】
従って、倒伏姿勢、起立姿勢のいずれの状態でも、原稿供給トレイが装置本体の平面視における投影面積内に配置されるので、画像形成装置の設置に際して無駄な空間を少なくでき、画像形成装置の設置に必要な面積をコンパクトにできるという効果を奏する。また、装置本体を室の壁面に接近させて配置できるという効果を奏する。
【００２４】
請求項４に記載の発明によれば、前記原稿供給トレイの側断面形状は、原稿の給送方向の中途部で鈍角状に屈曲形成されているものであるから、原稿供給トレイに原稿を載置した場合に、その中途部が自重により湾曲しても、その湾曲中途部が原稿供給トレイの上面の屈曲中途部に当接しないから、原稿の給紙時の摺接抵抗を少なくして、紙ジャムの発生を防止できる。さらに、上記屈曲中途部の存在により、前下り傾斜状の伏せ姿勢で操作パネル部の上面を原稿供給トレイの直線部分（起立姿勢の第１の載置面）にて覆うときに、操作パネル部との間に無駄な空間を生じさせないという効果を奏する。
【００２５】
請求項５に記載の発明によれば、前記装置本体の上面一側部位には、送受話器を起立状態で収納可能な送受話器置き台が設けられ、前記装置本体の側面視において、前記起立状態の送受話器が起立姿勢の前記原稿供給トレイよりも前側に位置するように設けられているものであるから、送受話器の取り扱い時に、ユーザーの指が原稿供給トレイの側部と干渉することがなく、送受話器の取り扱いが容易になるという効果を奏する。
【００２６】
請求項６に記載の発明によれば、原稿供給トレイが倒伏姿勢と起立姿勢との間で開閉回動可能に設けられているので、原稿供給トレイの下のスペースを利用でき、原稿供給トレイが倒伏姿勢であるときに、記録部の少なくとも一部を露出可能である開放状態と、前記記録部を隠蔽する閉塞状態との間で開閉回動可能な開閉扉を設けることができる。従って、原稿供給トレイを倒伏姿勢にし、開閉扉を開放状態にすることによって、記録部のジャム処理ができる。すなわち、原稿供給トレイが倒伏姿勢と起立姿勢との間で開閉回動可能に設けられているので、原稿供給トレイと、開閉扉と、を上下に立体的に配置することができる。よって、限られたスペース内に原稿供給トレイと、開閉扉と、を配置することができるので、省スペース化を図ることが可能である。
【発明を実施するための最良の形態】
【００２７】
次に、本発明を実施するための最良の形態について説明する。図１はファクシミリ装置の原稿供給トレイを起立させた状態の外観斜視図、図２は同右側面図、図３は図１の III−III 線矢視断面図、図４は原稿供給トレイを閉じて後ろカバー体を開いた状態の左側面図、図５は原稿供給トレイを閉じて後ろカバー体を開いた状態の側断面図、図６はファクシミリ装置の背面図、図７は原稿供給トレイを起立させた状態の平面図、図８は原稿供給トレイ及び後ろカバー体を閉じた状態の平面図、図９は原稿供給トレイを閉じて後ろカバー体を開き、且つＵターン状の用紙給送路体を外した状態の平面図である。
【００２８】
本発明のファクシミリ装置１の装置本体２は合成樹脂製の射出成形品であり、図３及び図５に示すように、装置本体２の下部に画像記録部（以下、記録部という）７が備えられている。そして、装置本体２の底部のカセット収納部に対して、装置本体２の前側に開口された挿入口２ａから挿抜可能（実質上水平方向に出し入れ可能）な給紙カセット３が配置されている。以下、装置本体２の挿入口２ａがある側を前側または前方といい、これを基準に装置の前側、左右側、後側（奥側）という。
【００２９】
本実施形態では、給紙カセット３の挿抜方向を副走査方向（Ｙ軸方向）といい、後述するキャリッジ５が往復移動する方向を主走査方向（Ｘ軸方向）という（図１参照）。給紙カセット３は、例えばＡ４サイズ、レターサイズ、リーガルサイズ等にカットされた被記録媒体としての用紙が複数枚積層（堆積）されて収納できる収容部３ａを備えている。
【００３０】
給紙カセット３挿入方向の奥側端には、用紙分離用の傾斜分離板８が設けられ、この傾斜分離板８の上側に隣接して装置本体２には、側面視でＵターン状の用紙給送路体９が配置されている（図３及び図５参照）。
【００３１】
装置本体２側には、給紙カセット３より上方に給紙手段としての給紙ローラ６ｂが設けられている。給紙手段における給紙アーム６ａの上端部に駆動軸３４を備え、この駆動軸３４を中心として上下方向に回動可能な給紙アーム６ａが装着されている。この給紙アーム６ａの下端に設けられた給紙ローラ６ｂと、傾斜分離板８とが協働することにより、給紙カセット３に堆積された被記録媒体である用紙Ｐが一枚ずつ分離給送される。そして、用紙給送路体９を介して、給紙カセット３の上方に配置された記録部７に用紙Ｐが配送されて画像記録された後、給紙カセットの上方の空間である排出部１０に記録済みの用紙Ｐが送られ、上記挿入口２ａと共通の排出口１０ａから装置本体２の外に排出される（図５参照）。
【００３２】
記録部７は、図５に示すように、上面開放された金属製枠状のメインフレーム１１における左右一対の側板（図示せず）にて支持され、Ｘ軸方向（主走査方向）に延びる横長の板状（プレート状）の第１ガイド部材１２、第２ガイド部材１３と、これら両ガイド部材１２、１３に跨がって摺動自在に支持（搭載）されて往復移動可能に構成されたキャリッジ５と、インクジェット式の記録ヘッド（図示せず）が下面に搭載されたキャリッジ５を往復移動させるために第２ガイド部材１３の上面にそれと平行状にて、プーリに巻回配置された無端ベルトとしてのタイミングベルト（図示せず）と、そのタイミングベルトを駆動するＣＲ（キャリッジ）モータ（実施形態ではＤＣモータであるが、ステッピングモータ等他のモータでもよい。図示せず）と、記録ヘッドの下面側にて搬送される用紙Ｐを支持する板状のプラテン１６と、主走査方向に沿って延びるように配置されてキャリッジ５のＸ軸方向（主走査方向）の位置とその方向の移動速度を検知するための光学式リニアエンコーダの構成部品であるテープスケール（図示せず）等を備える。なお、プラテン１６上で用紙Ｐが通過する方向での用紙搬送方向の上流側に、第１ガイド部材１２が配置され、下流側に第２ガイド部材１３が配置されることになる。
【００３３】
また、プラテン１６よりも搬送上流側には、搬送作用とレジスト作用を兼用させるレジストローラ対１７が配置されている。駆動ローラと従動ローラとからなるレジストローラ対１７は用紙Ｐを記録ヘッド４の下面のノズル面とプラテン１６との隙間に搬送する。プラテン１６よりも下流側には、用紙Ｐの上面に接する拍車と下面側の駆動する駆動ローラとからなる排紙ローラ対１８が配置されている。この排紙ローラ対１８により記録済みの用紙Ｐを排紙部１０へと搬送する。
【００３４】
装置本体２の上面のうち前寄り部位には、テンキー等の各種操作ボタン２０ａや液晶表示部２０ｂ等を備えた操作パネル部２０が設けられている。この操作パネル部２０は前下りの傾斜状に形成され、操作パネル部２０の前端部のヒンジ２１を介して装置本体２に対して上下開閉回動可能に枢着されている（図１、図３参照）（ＣＩＳの上流側に搬送ローラ対が、ＣＩＳの下流側に原稿排出ローラ対がそれぞれ設けられているので、原稿を安定して搬送することが出来る。
【００３５】
画像読取装置２２は操作パネル部２０の下方の装置本体２内に配置されている。即ち、図５に示すように、装置本体２における記録部７より上方前部には、操作パネル部２０とほぼ平行状（前下りの傾斜状）に原稿搬送板２３が配置されており、原稿搬送板２３には、画像読取装置２２を構成する原稿給紙ローラ２４と原稿分離板（分離パッド）２５と、原稿搬送ローラ対２６と原稿読取のためのイメージスキャナ２７とその下流側の原稿排出ローラ対２８とが、原稿の搬送方向（給送方向）の上流側から下流側に向けて順に配置されている。イメージスキャナ（密着型イメージセンサ、ＣＩＳ：Contact Ima-ge Sensor ）２７は、図５の紙面と直交する方向（主走査方向、Ｘ軸方向）に長いＣＣＤ素子（固体撮像素子）等にて構成されている。イメージスキャナ２７が本発明におけるコピー機能やファクシミリ機能における原稿読取などのための読取部に相当する。
【００３６】
原稿搬送板２３は操作パネル部２０の下面側にて上流側に延設されており、操作パネル部２０と原稿搬送板２３との隙間が原稿導入口２９となる。原稿排出ローラ対２８の下流側には装置本体２の前面に開口する原稿排出口３０が形成され、これに続いて、装置本体２の前方に延びる原稿排出トレイ３１が上下回動可能に設けられている。上記原稿給紙ローラ２４の上面に対向する原稿分離板（分離パッド）２５と、原稿搬送ローラ対２６の従動ローラ（ピンチローラ）と、原稿排出ローラ対２８の従動ローラ（ピンチローラ）と、イメージスキャナ２７の上面に対向する原稿押圧板３２とは、操作パネル部２０の下面側に取付けられている。
【００３７】
原稿搬送板２３の頂点部分等の装置本体２には、複数枚の原稿Ｇを載置するための原稿供給トレイ３３の基端部がヒンジ３４を介して前後開閉回動可能に枢着されている（図３及び図５参照）。原稿供給トレイ３３は第１の載置面３３ｂと第２の載置面３３ｃとによって構成されている。第１の載置面３３ｂと第２の載置面３３ｃとの境界部３３ａでは、第１の載置面３３ｂと第２の載置面３３ｃとが互いに接近される方向に鈍角状（角度θ３）にて屈曲形成されている。
【００３８】
原稿供給トレイ３３は、図５のごとく、原稿導入口２９及び画像読取装置１２が下面側に配置された操作パネル部２０の上面全体を覆う倒伏姿勢と、図１及び図５のごとく、原稿Ｇを載置可能に起立する起立姿勢とに選択的に回動可能に構成されている。これにより、原稿供給トレイ３３は、読取るべき原稿Ｇを載置する原稿載置部としての機能と、不使用時に原稿導入口２９及び操作パネル部２０の上面を覆って埃よけとしての機能とを兼用させることができるものである。原稿供給トレイ３３の倒伏姿勢では第１の載置面３３ｂによって操作パネル部２０が覆われ、第２の載置面３３ｃによって、原稿搬送板２３と原稿挿通口２９とが覆われる（図５及び図８参照）。
【００３９】
原稿供給トレイ３３が起立姿勢であるときの、原稿供給トレイが前記起立姿勢であるとき、第１の載置面３３ｂと第２の載置面３３ｃとの境界部３３ａを通り装置本体が設置される設置面に対する鉛直線として設定される仮想直線Ｓと第１の載置面３３ｂとの夾角（第１の角）をθ１とし、仮想直線Ｓと第２の載置面３３ｃとの夾角（第２の角）をθ２とするとき、第１の角θ１は、第２の角θ２よりも小さく、第２の載置面３３ｃは原稿搬送板２３の表面とほぼ同一平面上に配置されるものである。
【００４０】
この構成により、第１の載置面３３ｂで原稿に原稿端を読取部側に押し込む力を与える。第２の載置面３３ｃは、原稿搬送板とほぼ同一平面上に配置されているので、原稿は第２の載置面３３ｃから原稿搬送板へとスムーズに導入される。
【００４１】
また、原稿供給トレイ３３は起立姿勢及び倒伏姿勢のいずれの状態でも、平面視において装置本体２の投影面積内に配置されるように形成されている（図７及び図８参照）。
【００４２】
なお、原稿排出トレイ３１は透明な樹脂板にて形成されており、この原稿排出トレイ３１を上向き回動させて、操作パネル部２０の上面とほぼ平行になるように折り畳むことができ、その後、原稿供給トレイ３３を上記折り畳んだ原稿排出トレイ３１の上面とほぼ平行になるように倒伏姿勢を採ることができる。そして、原稿供給トレイ３３の中央部に穿設形成された窓部３３ｄを通して、操作パネル部２０における液晶表示部２０ｂを観察することができるものである。この窓部３３ｂは有していなくても良い。
【００４３】
原稿供給トレイ３３の側断面形状は、第１の載置面３３ｂと第２の載置面３３ｃとの間の角度θ３、つまり原稿Ｇの給送方向の中途部が鈍角状（角度θ３が１２０度〜１４５度程度）に屈曲形成されているものである。装置本体２の側面視において、起立姿勢の原稿供給トレイ３３の上端は装置本体２の後端よりも前側に位置するものとする。そして、原稿供給トレイ３３が起立姿勢にあるとき、第２の載置面３３ｃが原稿搬送板２３とほぼ同一平面上に配置される。第１の載置面３３ｂは仮想直線Ｓよりも装置後方側に配置される。
【００４４】
起立姿勢の原稿供給トレイ３３の上面に載置された原稿Ｇの給送方向の中途部が自重により湾曲しても、その湾曲中途部が原稿供給トレイ３３の上面の屈曲中途部（境界部）３３ａに当接しないから、原稿供給トレイ３３の側断面が下向き凸湾曲形成されている場合に比べて、また、原稿供給トレイ３３の表面（上面）に給紙方向に細長いリブを形成しなくても、原稿Ｇの給送時の搬送抵抗（摺接抵抗）を低減することができる。なお、原稿搬送板２３には、原稿導入口２９の近傍に、原稿Ｇの左右両側縁を案内する一対の側ガイド板３５が設けられている（図１参照）。
【００４５】
装置本体２の上面一側部位（原稿供給トレイ３３の配置位置の一側方）には、コードレス式のハンドセット３６（送受話器：テンキー等の操作ボタン付き）を起立状態で収納可能なハンドセット置き台３７が凹み形成され、装置本体２の側面視において、ハンドセット置き台３７にて起立状態で収納されたハンドセット３６が起立姿勢の原稿供給トレイ３３よりも前側に位置するように設けられているものである（図２及び図３参照）。なお、ハンドセット置き台３７内には、ハンドセット３６に対する充電器（図示せず）が設けられている。
【００４６】
装置本体２の上面後側は後下り傾斜状に形成されており、その左右中央部の後側（原稿供給トレイ３３の配置位置より後側）は記録部７に用紙搬送路が上から観察できるていどの大きい空間（開口部）が形成されている。この空間を覆う後カバー体３８は、その上部より部位のヒンジ３９を介して装置本体２に枢着されており、記録部７を含む用紙搬送路で紙ジャムが発生した場合に、用紙Ｐを除去できるようにしている（図５及び図９参照）。また、上記Ｕターン状の用紙給送路体９も、装置本体２の後面から取り外し可能に装着されており、給紙ローラから記録部７までの間で発生した紙ジャムを除去できるようになっている（図６、図９参照）。
【００４７】
上記の構成により、ファクシミリ装置１の待機状態もしくは使用状態では図１に示すように、操作パネル部２２の上面から開いた原稿供給トレイ３３を起立姿勢となるように立ち上げると、当該原稿供給トレイ３３の上端部は装置本体２の後端面よりも前側に位置するから（図３参照）、ファクシミリ装置１の装置本体２の後端面を室の壁等に密接させた状態でも使用可能となる。
【００４８】
そして、上述したように、原稿供給トレイ３３の方向中途部を鈍角状に屈曲形成したことと、起立姿勢の原稿供給トレイ３３の上部側の水平に対する角度θ２が７０度程度に大きいことから（図３参照）、当該原稿供給トレイ３３に原稿を載置した場合に、その中途部が自重により湾曲しても、その湾曲中途部が原稿供給トレイ３３の上面の屈曲中途部３３ａに当接しないから、原稿の給紙時の摺接抵抗を少なくして、紙ジャムの発生を防止できる。さらに、上記屈曲中途部３３ａの存在により、前下り傾斜状の伏せ姿勢で操作パネル部２０の上面を原稿供給トレイ３３の直線部分（起立姿勢の原稿供給トレイ３３の上部側）にて覆うときに、操作パネル部２０との間に無駄な空間を生じさせない。
【００４９】
さらに、装置本体２の側面視において、起立姿勢の原稿供給トレイ３３は、同じく起立姿勢のハンドセット３６より後方に位置するので、ユーザーがハンドセット３６をハンドセット置き台３７から取り上げるときや置くときにユーザーの指が原稿供給トレイ３３の側部と干渉することがなく、円滑な取り扱いが可能になる。
【図面の簡単な説明】
【００５０】
【図１】ファクシミリ装置のトレイを起立させた状態の外観斜視図である。
【図２】同右側面図である。
【図３】図１の III−III 線矢視断面図である。
【図４】原稿供給トレイを閉じて後ろカバー体を開いた状態の左側面図である。
【図５】原稿供給トレイを閉じて後ろカバー体を開いた状態の側断面図である。
【図６】ファクシミリ装置の背面図である。
【図７】原稿供給トレイを起立させた状態の平面図である。
【図８】原稿供給トレイ及び後ろカバー体を閉じた状態の平面図である。
【図９】原稿供給トレイを閉じて後ろカバー体を開き、且つＵターン状の用紙給送路体を外した状態の平面図である。
【符号の説明】
【００５１】
１    ファクシミリ装置
２    装置本体
２ａ  挿入口
３    給紙カセット
７    記録部
２０    操作パネル部
２２    画像読取装置
２９    原稿導入口
３３    原稿供給トレイ
３６    ハンドセット
３７    ハンドセット置き台
【図１】
2008011466.tif 000003
【図２】
2008011466.tif 000004
【図３】
2008011466.tif 000005
【図４】
2008011466.tif 000006
【図５】
2008011466.tif 000007
【図６】
2008011466.tif 000008
【図７】
2008011466.tif 000009
【図８】
2008011466.tif 000010
【図９】
2008011466.tif 000011